(57)【要約】【課題】適量の内容物の振り出しが可能な蓋付容器とそれに用いる容器を提供する。【解決手段】容器１５は、開口部１７の周縁から外側に突出するように形成された環状の内フランジ部３０と、その周囲から外側に突出するように形成された環状の外フランジ部４０と、内フランジ部３０に対して外フランジ部４０の開閉部４０ａを分離可能に連結するフランジ接続部と、を有する。フランジ接続部は、内フランジ部３０と外フランジ部４０の開閉部４０ａとの間と、その間から外フランジ部４０の外周縁までの間と、において、複数のスリット６０，６１，６２と、そのスリット６０，６１間で破断可能に形成されたフランジ連結部５０と、を有する。【選択図】図３
2019182445.tif 000002
【特許請求の範囲】
【請求項１】
開口部が形成された容器であって、
前記開口部の周縁から外側に突出するように形成された環状の内フランジ部と、
前記内フランジ部の周囲から外側に突出するように形成された環状の外フランジ部と、
前記内フランジ部に対して前記外フランジ部の一部を分離可能に連結するフランジ接続部と、を有し、
前記内フランジ部と前記外フランジ部の一部との間と、その間から前記外フランジ部の外周縁までの間と、において、前記フランジ接続部が、複数のスリットと、そのスリット間で破断可能に形成されたフランジ連結部と、を有することを特徴とする容器。
【請求項２】
前記外フランジ部の一部の外周部分が、前記内フランジ部よりも上方に位置するとともに、弾性により前記内フランジ部と同じ高さに変位可能であり、
前記フランジ接続部で前記外フランジ部の一部が前記内フランジ部から分離されると、前記内フランジ部と前記外フランジ部の一部が、前記スリットを介して対向する部分で互いに係合可能な一対の係合片を形成することを特徴とする請求項１記載の容器。
【請求項３】
前記内フランジ部と前記外フランジ部が曲線形状の角部分を有する略矩形を成しており、その略矩形の１つの角部分に前記スリットが位置することを特徴とする請求項１又は２記載の容器。
【請求項４】
前記角部分に位置するスリットが、波線形状を有し、かつ、直線又は曲線に沿って位置することを特徴とする請求項３記載の容器。
【請求項５】
前記外フランジ部の一部を前記内フランジ部から分離する際のつまみとなる開封タブが、前記スリットの位置する角部分に設けられていることを特徴とする請求項３又は４記載の容器。
【請求項６】
前記内フランジ部と前記外フランジ部と前記フランジ連結部とが一体的に形成された樹脂成形体であることを特徴とする請求項１〜５のいずれか１項に記載の容器。
【請求項７】
前記フランジ連結部での破断により前記外フランジ部の一部が前記内フランジ部から分離されると、前記内フランジ部と前記外フランジ部の一部のうちの少なくとも一方の破断部分に突起が生じて、前記内フランジ部と前記外フランジ部の一部との係合が可能になることを特徴とする請求項６記載の容器。
【請求項８】
請求項１〜７のいずれか１項に記載の容器と、前記開口部を覆うように前記内フランジ部及び前記外フランジ部に接着された蓋と、を備え、
前記フランジ連結部での破断により前記外フランジ部の一部が前記内フランジ部から分離されると、前記蓋が前記外フランジ部の一部と共に前記内フランジ部から分離されて、開封状態となることを特徴とする蓋付容器。
【発明の詳細な説明】
【技術分野】
【０００１】
本発明は容器とそれを用いた蓋付容器に関するものであり、例えば、食品等の内容物を出し入れするための開口部が形成された容器と、その容器に開口部を覆うための蓋が設けられた蓋付容器と、に関するものである。
【背景技術】
【０００２】
従来より様々なタイプの蓋付容器が提案されている。例えば、特許文献１に記載の蓋付容器は、樹脂成形体の容器と樹脂フィルムから成る蓋とを備えている。容器は、上面に開口部を有する収納部と、収納部の上縁から外側に突出するフランジ部と、を有しており、フランジ部には、外周端から径方向に突出した突起が設けられている。蓋の下面には環状の枠体が取り付けられており、枠体には蓋の下面に面した上壁から係合爪が設けられている。枠体は容器と一体に射出成形されており、係合爪の下端と突起とがフィルムを介して連結されている。蓋は枠体の上面及びフランジ部の上面に熱接着されており、開封すると蓋がフランジ部から剥がされて枠体と一体に開かれる。また、蓋を閉じると、係合爪が水平方向に弾性変形して容器の突起と上下方向に係合する。これにより、開封後の蓋付容器を再封（リクローズ）することができる。
【先行技術文献】
【特許文献】
【０００３】
【特許文献１】特表２０１４−５０２５８４号公報
【発明の概要】
【発明が解決しようとする課題】
【０００４】
しかしながら、特許文献１に記載の蓋付容器によると、容器内の内容物を取り出す際には、開口部全体を開くことになるため、スプーン等の道具の使用が必要になる。内容物が粉状・粒状である場合、容器から内容物を振り出すようにすれば、スプーン等の道具を使用せずに済むが、開口部全体が開いた状態で適量の内容物を振り出すことは困難である。
【０００５】
本発明はこのような状況に鑑みてなされたものであって、その目的は、適量の内容物の振り出しが可能な蓋付容器とそれに用いる容器を提供することにある。
【課題を解決するための手段】
【０００６】
上記目的を達成するために、第１の発明の容器は、開口部が形成された容器であって、
前記開口部の周縁から外側に突出するように形成された環状の内フランジ部と、
前記内フランジ部の周囲から外側に突出するように形成された環状の外フランジ部と、
前記内フランジ部に対して前記外フランジ部の一部を分離可能に連結するフランジ接続部と、を有し、
前記内フランジ部と前記外フランジ部の一部との間と、その間から前記外フランジ部の外周縁までの間と、において、前記フランジ接続部が、複数のスリットと、そのスリット間で破断可能に形成されたフランジ連結部と、を有することを特徴とする。
【０００７】
第２の発明の容器は、上記第１の発明において、前記外フランジ部の一部の外周部分が、前記内フランジ部よりも上方に位置するとともに、弾性により前記内フランジ部と同じ高さに変位可能であり、
前記フランジ接続部で前記外フランジ部の一部が前記内フランジ部から分離されると、前記内フランジ部と前記外フランジ部の一部が、前記スリットを介して対向する部分で互いに係合可能な一対の係合片を形成することを特徴とする。
【０００８】
第３の発明の容器は、上記第１又は第２の発明において、前記内フランジ部と前記外フランジ部が曲線形状の角部分を有する略矩形を成しており、その略矩形の１つの角部分に前記スリットが位置することを特徴とする。
【０００９】
第４の発明の容器は、上記第３の発明において、前記角部分に位置するスリットが、波線形状を有し、かつ、直線又は曲線に沿って位置することを特徴とする。
【００１０】
第５の発明の容器は、上記第３又は第４の発明において、前記外フランジ部の一部を前記内フランジ部から分離する際のつまみとなる開封タブが、前記スリットの位置する角部分に設けられていることを特徴とする。
【００１１】
第６の発明の容器は、上記第１〜第５のいずれか１つの発明において、前記内フランジ部と前記外フランジ部と前記フランジ連結部とが一体的に形成された樹脂成形体であることを特徴とする。
【００１２】
第７の発明の容器は、上記第６の発明において、前記フランジ連結部での破断により前記外フランジ部の一部が前記内フランジ部から分離されると、前記内フランジ部と前記外フランジ部の一部のうちの少なくとも一方の破断部分に突起が生じて、前記内フランジ部と前記外フランジ部の一部との係合が可能になることを特徴とする。
【００１３】
第８の発明の蓋付容器は、上記第１〜第７のいずれか１つの発明に係る容器と、前記開口部を覆うように前記内フランジ部及び前記外フランジ部に接着された蓋と、を備え、
前記フランジ連結部での破断により前記外フランジ部の一部が前記内フランジ部から分離されると、前記蓋が前記外フランジ部の一部と共に前記内フランジ部から分離されて、開封状態となることを特徴とする。
【発明の効果】
【００１４】
本発明によれば、内フランジ部に対して外フランジ部の一部がフランジ接続部で分離可能に連結されているため、適量の内容物の振り出しが可能な蓋付容器とそれに用いる容器を実現することができる。
【図面の簡単な説明】
【００１５】
【図１】蓋付容器の一実施の形態を示す組立斜視図。
【図２】図１の蓋付容器を示す分解斜視図。
【図３】図１の蓋付容器が未開封状態にあるときの容器を示す上面図。
【図４】図１の蓋付容器が開封状態にあるときの容器を示す上面図。
【図５】図３のＡ−Ａ’線断面図。
【図６】図１の蓋付容器における開封タブ付近の未開封状態、開封途中状態及び再封状態を示す拡大断面図。
【図７】図１の蓋付容器から内容物を振り出している状態を示す模式図。
【発明を実施するための形態】
【００１６】
以下、本発明の実施の形態に係る容器、それを用いた蓋付容器等を、図面を参照しつつ説明する。なお、具体例等の相互で同一の部分や相当する部分には同一の符号を付して重複説明を適宜省略する。
【００１７】
図１の組立斜視図と図２の分解斜視図に、一実施の形態に係る蓋付容器１０の概略構成を示す。この蓋付容器１０は、図２に示すように、内容物を出し入れするための開口部１７が形成された容器１５と、その開口部１７を覆うための蓋２０と、を備えている。容器１５は、内容物が収納される収納部１６と、開口部１７の周縁から外側に突出するように形成された環状の内フランジ部３０と、内フランジ部３０の周囲から外側に突出するように形成された環状の外フランジ部４０と、を有している。なお、収納部１６に入れる内容物は特に限定されるものではないが、その具体例としては、塩，胡椒，七味唐辛子，ふりかけ等の粉状・粒状調味料；タブレット菓子，ナッツ，ドライフルーツ等の粒状食品類等が挙げられる。
【００１８】
容器１５は、ポリプロピレン（ＰＰ）等の熱可塑性樹脂からなる樹脂成形体であり、射出成形，真空成形等の成形方法によって薄肉に形成されている。蓋２０は樹脂フィルムからなっており、片面に熱接着層を有している。その熱接着層によって、内フランジ部３０と外フランジ部４０の各上面全体にわたって蓋２０が熱接着される。したがって、内フランジ部３０及び外フランジ部４０に蓋２０を熱接着することにより、内容物の入った収納部１６を密封することができる。なお、蓋２０は樹脂フィルムに限らず、紙，金属箔等から成る各層を組み合せた多層基材でもよく、熱接着層の代わりに接着剤を用いてもよい。また、ガスバリア性を必要とする場合には、アルミニウム箔層や蒸着フィルム層を蓋２０の中間層として備えてもよい。
【００１９】
開口部１７，内フランジ部３０及び外フランジ部４０は、曲線形状の角部分を有する略矩形を成しており（ここでは略正方形を想定している。）、それらは互いに略相似の関係になっている。その１つの角部分には、開封の際のつまみとなる開封タブ４１が外フランジ部４０の縁から外側に突出するように形成されている。開封タブ４１にも蓋２０が熱接着されるので、蓋２０と共に開封タブ４１を持って外フランジ部４０の一部を内フランジ部３０から分離すると、蓋付容器１０は後述する開封状態となる。
【００２０】
図３に蓋付容器１０が未開封状態にあるときの容器１５を上面図で示し、図４に蓋付容器１０が開封状態にあるときの容器１５を上面図で示す。また、図３のＡ−Ａ’線断面図を図５に示し、図５と同じ部分の断面構造として蓋付容器１０の開封タブ４１付近を図６に示す。図６において、（Ａ）は未開封状態（容器１５に蓋２０が熱接着された密封状態）の蓋付容器１０を示しており、（Ｂ）は開封途中状態の蓋付容器１０を示しており、（Ｃ）は再封状態の蓋付容器１０を示している。
【００２１】
容器１５の収納部１６は、図３に示すように、開口部１７と略相似の略矩形に形成された底壁１８を有している。その底壁１８の中央には、上方（開口部１７側）に突出する略矩形の突出部１９が、収納部１６の強度を向上させるために形成されている。そして、収納部１６の上部には、前述したように、開口部１７の周縁から外側に突出するように環状の内フランジ部３０が形成されており、その内フランジ部３０の周囲から外側に突出するように環状の外フランジ部４０が形成されている。
【００２２】
容器１５には、図３に示すように、内フランジ部３０と外フランジ部４０の一部（開閉部）４０ａとの間と、その間から外フランジ部４０の外周縁までの間と、において、複数のスリット６０，６１，６２と、そのスリット６０，６１間で破断可能に形成されたフランジ連結部５０と、が設けられている。スリット６０は内フランジ部３０と外フランジ部４０が成す略矩形の角部分の１つに位置しており、フランジ連結部５０はそのスリット６０の両端に位置している。
【００２３】
スリット６０〜６２及びフランジ連結部５０は、略矩形の内フランジ部３０及び外フランジ部４０において、開封タブ４１を通る対角線（Ａ−Ａ’は対角線の一部）に関して対称に配置されている。したがって、フランジ連結部５０は２つ、スリット６０は１つ、スリット６１，６２はそれぞれ２つである。そして、容器１５は、内フランジ部３０と外フランジ部４０とフランジ連結部５０と、を一体的に形成された樹脂成形体として有しており、それによって、スリット６０〜６２とフランジ連結部５０で、内フランジ部３０に対して外フランジ部４０の一部である開閉部４０ａを分離可能に連結するフランジ接続部を構成している。なお、スリット６１とスリット６２とはＬ字形状に繋がっているが、スリット６１とスリット６２との間にフランジ連結部を更に設けてもよく、スリット６１の途中やスリット６２の途中にフランジ連結部を更に設けてもよい。
【００２４】
前述したように、内フランジ部３０と外フランジ部４０は、曲線形状の角部分を有する略矩形を成している。その略矩形において、曲線形状の角部分の１つには開封タブ４１が配置されており、その角部分にスリット６０が位置している。そのスリット６０は、波線形状を有し、かつ、直線（開封タブ４１を通る対角線に対して垂直な直線）に沿って位置している。そして、スリット６０の両側（つまり、スリット６１との間）には、フランジ連結部５０が位置している。なお、波線形状を有するスリット６０を曲線に沿って位置するように形成してもよい。また、直線形状又は曲線形状を有するスリットを複数配置して、そのスリット同士の間にフランジ連結部を形成するようにしてもよい。
【００２５】
スリット６０は、容器１５を構成する樹脂シートに対し、ウェーブ刃で切り込みを入れることにより、波線形状に形成される（直線形状に形成する場合には、ストレート刃で切り込みを入れる。）。そして、スリット６０の両側に位置するフランジ連結部５０は、樹脂シートに切り込みを入れる際の刃止めにより、手での切り離しによる破断が可能なスリット間長さに形成される。なお、スリット６１，６２についても各形状に応じた刃で切り込みを入れることにより形成され、その際の刃止めによりフランジ連結部を適宜形成してもよい。
【００２６】
図３及び図５に示すように、内フランジ部３０の外周部分と外フランジ部４０（開閉部４０ａを含む。）の内周部分とで、凹部３５が形成されている。その凹部３５内には、図３に示すように、スリット６０，６１の全体と、スリット６２の一部と、２つのフランジ連結部５０と、が配置されている。また、内フランジ部３０には、蓋２０の熱接着や内フランジ部３０の補強のために、凹部３５の内周に沿って突出部３１が形成されている。突出部３１は上方に凸の形状を有しており（図５）、開口部１７と相似の矩形を成している（図３）。突出部３１の外周側には連続して凹部３５が形成されており、凹部３５の外周側には連続して外フランジ部４０の外周部分が形成されている。
【００２７】
蓋２０が熱接着される前の外フランジ部４０の一部である開閉部４０ａは、図５に示すように、外周部分が上方に位置するように傾斜しており、凹部３５の幅Ｗが深さＤよりも大きくなっている（Ｗ＞Ｄ）。深さＤが小さいため、容器１５の成形加工時に凹部３５を容易に形成することができる。また、凹部３５の外周側の側壁４２の傾斜角度βは、外フランジ部４０の外周部分の傾斜角度γよりも大きくなっている。これにより、開閉部４０ａを含む外フランジ部４０は、適度の弾性で内フランジ部３０と同じ高さに変位可能となる。
【００２８】
容器１５は薄肉に形成されているため、上述したように、外フランジ部４０の一部である開閉部４０ａの外周部分は、内フランジ部３０よりも上方に位置するとともに（図５）、弾性により内フランジ部３０と同じ高さに変位可能である（図６（Ａ））。開口部１７を覆うように蓋２０を容器１５上に配し、外フランジ部４０の開閉部４０ａと内フランジ部３０とが同じ高さになるように蓋２０を押圧しながら加熱すると、蓋２０の熱接着層が溶融し、図６（Ａ）に示すように、接着部３４，４４で蓋２０が内フランジ部３０の突出部３１及び外フランジ部４０の外周部分に熱接着される。これにより、内容物の入った収納部１６は密封状態となり、また、蓋２０は外フランジ部４０で上方に付勢された状態に保持される。なお、熱接着層は蓋２０の下面全面に設けられているが、図６では熱接着部分である接着部３４，４４のみを示している。
【００２９】
蓋付容器１０（図１，図６（Ａ））の開封タブ４１をつまんで引っ張ると、スリット６０，６１（図３）間のフランジ連結部５０が破断されるとともに、接着部３４（図６（Ａ））が剥離されて、蓋付容器１０は開封状態となる（図６（Ｂ），図４）。つまり、フランジ連結部５０での破断により外フランジ部の開閉部４０ａが内フランジ部３０から分離されると、蓋２０が外フランジ部の開閉部４０ａと共に内フランジ部３０から分離されて開封状態となる。このとき、外フランジ部４０の開閉部４０ａが蓋２０と一体に開かれて、スリット６２の近傍位置（図４中の二点鎖線位置）で蓋２０が折り曲げられる（図３，図４）。
【００３０】
上記蓋２０の折り曲げ位置は、開閉部４０ａに対する接着部分と、残りの外フランジ部４０（内フランジ部３０と共に蓋２０が接着部３４で固定されたままの部分）に対する接着部分と、の境界に相当する。したがって、開閉部４０ａは残りの外フランジ部４０に対して蓋２０のみで繋がった状態となって、その折り曲げ位置を中心とする回動が可能になる。このように開閉部４０ａが回動可能になることによって、蓋２０で全面が覆われていた開口部１７の一部が開口して、蓋付容器１０は収納部１６内の内容物の取り出しが可能な開封状態になる。
【００３１】
開封タブ４１を通る対角線（Ａ−Ａ’は対角線の一部）の方向を開封方向とするのが好ましく、開封タブ４１を通る対角線に沿って開封タブ４１を引っ張るようにすれば、安定した開封を行うことが可能である。また、フランジ連結部を介してスリット６１，６２を追加することにより、開口部１７の開口範囲が更に広くなる開封状態を構成すれば、複数段階の開封状態を得ることが可能となる。
【００３２】
図７に、粒状の食品Ｆ（内容物）を蓋付容器１０から振り出している状態を示す。フルオープンタイプの容器では、内容物を取り出す際に開口部全体を開くことになるため、スプーン等の道具の使用が必要になる。それに対し、この蓋付容器１０では、内フランジ部３０に対して外フランジ部４０の一部である開閉部４０ａがフランジ接続部（フランジ連結部５０等）で分離可能に連結されているため、開封状態において開口部１７が蓋２０で部分的に制限されて、適量の食品Ｆの振り出しが可能となる。蓋付容器１０から食品Ｆを振り出すことができるため、スプーン等の道具を使用する必要は無い。なお、食品Ｆが残り少なくなった場合、開封タブ４１の反対側から蓋２０のみを剥がすようにしてもよい。
【００３３】
フランジ連結部５０（図３）での破断により外フランジ部４０の開閉部４０ａが内フランジ部３０から分離されると、図６（Ｂ）に示すように係合片３３，４３が形成される。図６（Ｂ）ではスリット６０でのＡ−Ａ’線断面（図３）を示しているが、スリット６１でも同様の断面を有する係合片３３，４３が形成される。つまり、内フランジ部３０と外フランジ部４０の開閉部４０ａは、スリット６０，６１を介して対向する部分で互いに係合可能な一対の係合片３３，４３を形成する。このとき、外フランジ部４０の付勢力が解かれて、係合片４３の先端が内周側に変位する。係合片４３は蓋２０の折り曲げ位置を中心に回動可能であるが、凹部３５の深さＤ（図５）が小さいため、係合片４３の水平方向の変位量も小さなものとなる。
【００３４】
開封タブ４１を引っ張ってフランジ連結部５０を破断すると、図４及び図６（Ｂ）に示すように、前記係合片３３，４３が形成されるとともに突起５３，５４が発生する。ここでは、内フランジ部３０の破断部分に突起５３が発生し、外フランジ部４０の破断部分に突起５４が発生する場合を示しているが、内フランジ部３０と外フランジ部４０のうちの少なくとも一方の破断部分には突起５３，５４が生じることになる。
【００３５】
開封タブ４１をつまんで外フランジ部４０の開閉部４０ａ及び蓋２０を再度閉じると、図６（Ｃ）に示すように、係合片４３が上下方向に弾性変形して係合片３３を乗り越え、係合片３３に対して上下方向に係合する。これにより、蓋２０及び外フランジ部４０の開閉部４０ａが内フランジ部３０に保持されるため、蓋付容器１０の再封が達成される。容器１５が薄肉に形成されていても、再封時に内フランジ部３０と外フランジ部４０の開閉部４０ａとを係合させることができるため、低コストでの再封を実現することができる。
【００３６】
上記再封時には、係合片３３と係合片４３との係合だけでなく、突起５３と突起５４との係合、突起５３と係合片４３との係合、突起５４と係合片３３との係合等も可能となる。このように、内フランジ部３０と外フランジ部４０の開閉部４０ａとが突起５３，５４により係合し易くなるため、更に安定した再封が可能となる。なお、密封する必要のない内容物であれば、外フランジ部４０の開閉部４０ａが内フランジ部３０に緩く係止される程度でも、問題のない再封が可能である。
【００３７】
上記のように、フランジ連結部５０での破断により外フランジ部４０の開閉部４０ａが内フランジ部３０から分離されると、内フランジ部３０と外フランジ部４０の開閉部４０ａのうちの少なくとも一方の破断部分に突起５３，５４が生じて、内フランジ部３０と外フランジ部４０との効果的な係合が可能になる。したがって、容器１５を用いることにより、安定した再封が可能で低コストな蓋付容器１０を実現することができる。
【００３８】
スリット６０の両端に位置するフランジ連結部５０は、開封タブ４１を通る対角線（図３中のＡ−Ａ’は対角線の一部である。）に関して対称に並んでいる。その配置において、開封タブ４１を対角線に沿って引っ張るようにすれば、各フランジ連結部５０にかかる力が均等になるため、突起５３，５４が発生し易くなる。その結果、内フランジ部３０と外フランジ部４０との横方向の相対位置の微少なズレにより係合が容易になる。同様の理由で、容器１５のように、フランジ連結部５０が対角線に対して垂直方向に並ぶことが好ましい。また、開封タブ４１を通る対角線に対して垂直方向に延びているスリット６０の両端にフランジ連結部５０が位置する場合、突起５３，５４が係合片３３，４３に引っ掛かり易くなって、より安定した再封が可能となる。
【００３９】
容器１５（図３，図４）では、スリット６０が波線形状を有しているため、フランジ連結部５０での破断により形成される係合片３３，４３も波線形状を有することになる。再封時には、内フランジ部３０と外フランジ部４０との横方向の相対位置に微少なズレが生じるため、係合片３３，４３の波形の山部が上下方向に重なって係合することになる。したがって、係合片３３，４３のより確実で安定した再封が可能となる。
【００４０】
上記のように、スリット６０が波線形状を有していると、突起５３，５４が係合片３３，４３に係合し易くなり、フランジ連結部５０が複数設けられていると、発生した複数の突起５３，５４によって係合片３３，４３との係合が容易になる。したがって、いずれの場合も更に安定した再封が可能となる。
【００４１】
フランジ連結部５０の幅（言い換えれば、刃止めの距離）は、０．５〜０．８ｍｍが好ましい。０．５〜０．８ｍｍの幅でフランジ連結部５０を形成することにより、係合のし易さと開封のし易さとのバランスのとれた突起５３，５４が発生し易くなる。
【００４２】
容器１５の素材としてはポリプロピレンが好ましい。ポリプロピレンを用いると、破断時に伸びて突起５３，５４が生じ易い、というメリットがある。突起５３，５４が生じ易い素材としては、バリア性が必要な場合には多層シート（ＰＰ／ＥＶＯＨ／ＰＰ）が挙げられ、透明性が必要な場合にはＡ−ＰＥＴ（未延伸のアモルファスＰＥＴ）が挙げられる。
【００４３】
再封後の開封を行う際には、開封時と同様、開封タブ４１をつまんで引っ張ればよい。開封タブ４１を通る対角線に関して係合片３３，４３は対称に位置することになるため、対角線に沿って開封タブ４１を引っ張るようにすれば、再封後の開封をより安定的に行うことが可能である。前述したように係合片４３の水平方向の変位量が小さいため、係合片４３と係合片３３との係合幅は小さくなる。したがって、再封後の開封を容易に行うことが可能となる。また、凹部３５が浅いため（Ｗ＞Ｄ）、再封時に係合片４３と係合片３３との係合幅を小さくすることができる。したがって、上記と同様、再封後の開封を容易に行うことが可能となる。
【符号の説明】
【００４４】
１０    蓋付容器
１５    容器
１６    収納部
１７    開口部
１８    底壁
１９    突出部
２０    蓋
３０    内フランジ部
３１    突出部
３３    係合片
３４    接着部
３５    凹部
４０    外フランジ部
４０ａ    開閉部（外フランジ部の一部）
４１    開封タブ
４２    側壁
４３    係合片
４４    接着部
５０    フランジ連結部（フランジ接続部）
５３，５４    突起
６０，６１，６２    スリット（フランジ接続部）
Ｆ    食品（内容物）
【図１】
2019182445.tif 000003
【図２】
2019182445.tif 000004
【図３】
2019182445.tif 000005
【図４】
2019182445.tif 000006
【図５】
2019182445.tif 000007
【図６】
2019182445.tif 000008
【図７】
2019182445.tif 000009